(57)【要約】【課題】靴下にも拘わらず下駄風靴下（ソックス）として和風着衣、特に袴風な着衣に好適なデザイン性の優れた靴下を提供する。【解決手段】靴下１０であって、上部に位置する履き口２０と、底面を形成するソール部３０と、前記履き口２０と前記ソール部３０を接続する側面部と、を有し、前記履き口２０と前記ソール部３０と前記側面部４０とを形成する靴下本体部５０と、前記ソール部３０から前記側面部４０に至る所定の部位に、起点Ｘが形成され、前記靴下本体部５０上に前記靴下本体部６０と別物の部材からなる花緒６０とが形成されている。【選択図】図１
0003222244.tif 000002
【実用新案登録請求の範囲】
【請求項１】
靴下であって、
上部に位置する履き口と、底面を形成するソール部と、前記履き口と前記ソール部を接続する側面部と、を有し、前記履き口と前記ソール部と前記側面部とを形成する靴下本体部と、
前記ソール部から前記側面部に至る所定の部位に、起点が形成され、前記靴下本体部上に前記靴下本体部と別物の部材からなる花緒と、
を備えたことを特徴とする靴下。
【請求項２】
前記花緒は前記起点から前記履き口の後方に至るループ状に形成され、前記起点側の材質と、前記履き口の後方側の材質は前記起点側の材質とは異なる伸縮可能部材とで構成されていることを特徴とする請求項１記載の靴下。
【請求項３】
前記ソール部の着用時外面となる底面には、滑り止めが形成されていることを特徴とする請求項１又は２記載の靴下。
【請求項４】
前記伸縮可能部材はゴム材或いはゴム編み部材で形成されたことを特徴とする請求項２記載の靴下。
【請求項５】
前記花緒の前記起点側の材質は、ちりめん織部材で形成されていることを特徴とする請求項１又は２記載の靴下。
【請求項６】
前記花緒の前記起点の位置は、靴下着用時の前方に位置していることを特徴とする請求項１、２、５のいずれかに記載の靴下。
【考案の詳細な説明】
【技術分野】
【０００１】
本考案は、靴下に係り、特に、靴下にも拘わらず着用時に外観上、下駄ばきを模した着用が可能で、和装を着用したときに好適な靴下に関する。
【背景技術】
【０００２】
従来から下駄ばき風で、花緒を模した履物については広く知られている（例えば特許文献１〜４）。
【０００３】
例えば、特許文献１では、お祭りの際、特に幼児子供が履く為のシューズで子供シューズに鼻緒を取付け、子供シューズに鼻緒を取り付けることにより、祭用草履との様相を一本化し、装いと共に見栄えをよくし祭全体の統一感を出す技術が提案されている（特許文献１、図１及び図２参照）。
特許文献２では、実際の足袋および和装はき物の使用を不要にしながらも、着物との調和を図る合理的な靴からなる幼児用和装はき物が示され、靴の表面を足袋地として、この足袋地に、幼児の足に対応する足袋模様とこの足袋模様の鼻緒はさみ部からその後方両側部に延びる鼻緒模様を施してなる幼児用和装はき物が提案されている（特許文献２、考案の目的欄、実用新案登録請求の範囲の乱、図１乃至図５参照）。
特許文献３では、一般的な靴の履き勝手と履き心地を維持すると共に、和服と調和することができる和装用履物として、履き口を介して足を内部に収容する本体と、前記本体の底面に装着された靴底と、前記本体の表面に配置された鼻緒とを備え、前記花尾は、前記本体の表面において前記本体の左右端から先端部分中央に向かって略Ｖ字形状に形成された擬似的な鼻緒である和装用履物が提案されている（特許文献３、実用新案登録請求の範囲の請求項１、段落０００７、図１乃至図９参照）。
特許文献４では、は草履足袋形状靴として、靴の底部、すなわち、ソールの外側周りの
外観を、草履の外側周り、すなわち、巻きの外観に模する外観形とし、靴の上部、すなわち、甲・アッパーの外観を、足袋の甲表の外観に模する外観形とし、靴の甲に草履の鼻緒、または、鼻緒に模する模様を付した靴であって、靴製作材料として、一般の靴製作材料である皮革、または、合成皮革、および、ゴムならびに、布を用いた技術が開示されている（特許文献４、実用新案登録請求の範囲欄、図１参照）。
【先行技術文献】
【特許文献】
【０００４】
【特許文献１】登録実用新案公報第３１２３６６０号公報
【特許文献２】公開実用新案公報昭５９−１９１９０４号公報
【特許文献３】登録実用新案公報第３２０７４０２号公報
【特許文献４】登録実用新案公報第３２１１１４２号公報
【考案の概要】
【考案が解決しようとする課題】
【０００５】
しかしながら、前記特許文献１乃至４は、いずれも靴やはき物であり、本考案の対象となっている靴下と異なるものである。また靴やはき物は,家屋の外で着用するものであり、本考案の靴下は、かかる靴やはき物を履く前に着用する靴下で、もっぱら屋内で使用する点において大きく異なる。
【０００６】
一方、靴下において、鼻緒等の絵柄を編み込んだものや、着色したものも知られている。しかし、これらは、靴下の生地（編物を含む）そのものと一体に編み上げたものや絵柄であり、鼻緒部分も靴下の柄同様であり、あくまで靴下の絵柄に過ぎないものである。つまり、通常の靴下と同様であって、単に靴下の絵柄である場合には、靴下を着用したときに、絵柄が付いた靴下の着用の感覚しかなく、下駄風靴下としては、ファッション性及びデザイン性において、着用する者に、満足を与えるものではなかった。
【０００７】
本考案は、靴下にも拘わらず下駄風靴下（ソックス）として和風着衣、特に袴風な着衣に好適なデザイン性の優れた靴下を提供することにある。
【課題を解決するための手段】
【０００８】
前記課題は、本考案に係る靴下によれば、靴下であって、上部に位置する履き口と、底面を形成するソール部と、前記履き口と前記ソール部を接続する側面部と、を有し、前記履き口と前記ソール部と前記側面部とを形成する靴下本体部と、前記ソール部から前記側面部に至る所定の部位に、起点が形成され、前記靴下本体部上に前記靴下本体部と別物の部材からなる花緒とを備えたこと、により解決される。
【０００９】
このように構成されているので、通常着用時において、靴下本体部と別体の花緒があり、靴下でありながら、より高い下駄風を醸し出すことができ、袴などの和装を着用したときに揃った印象のコーディネートが可能となる。
【００１０】
前記花緒は前記起点から前記履き口の後方に至るループ状に形成されていると好適であり、更に花緒は、前記起点側の材質と、前記履き口の後方側の材質は前記起点側の材質とは異なる材質で形成されていると好適である。履き口の後方側の材質は伸縮可能部材で構成されていると好適である。このとき、伸縮可能部材はゴム材や、ゴム編みの部材であるとよい。
【００１１】
このように花緒は起点から履き口の後方に至るループ状に形成されているので、下駄風靴下を着用したときに、足のかかと部分をサポート（保持）して、靴下が脱げるのを防止できる。また花緒後ろが伸縮可能部材（ゴム材、ゴム編み）で形成されているので、下駄風靴下を着用したときにカカト側のループ部分で抑えることができ、脱げるのを防止できるだけでなく、下駄風靴下の着用者の足の寸法がばらついても対応することができる。
【００１２】
また下駄風靴下の前記ソール部の着用時外面となる底面には、滑り止めが形成されているとよい。このように構成されているので、下駄風靴下のまま屋内で歩行しても滑らず安心である。
【００１３】
前記花緒の前記起点側は、ちりめん織部材で形成されているよい。このように構成されているので、下駄風靴下に形成された別物の花緒が、より下駄に近い感覚となり、下駄風の花緒として、下駄風に近い外観を醸し出すことができ、より和装の着衣と合うようにコーディネートすることが可能である。
【００１４】
前記花緒の前記起点の位置は、靴下着用時の前方に位置している好適である。このように構成されているので、より下駄に近い花緒を模したもので、下駄風を醸し出した下駄風靴下とすることが可能である。
【考案の効果】
【００１５】
本考案に係る靴下によれば、通常着用時において、靴下本体部と別体の花緒があり、靴下でありながら、より高い下駄風を醸し出すことができ、袴などの和装を着用したときに揃った印象のコーディネートが可能となる。
【００１６】
また花緒は起点から履き口の後方に至るループ状に形成されているので、下駄風靴下を着用したときに、足のかかと部分をサポート（保持）して、靴下が脱げるのを防止できる。また花緒後ろが伸縮可能部材（ゴム材、ゴム編み）で形成されているので、下駄風靴下を着用したときにカカト側のループ部分で抑えることができ、脱げるのを防止できるだけでなく、下駄風靴下の着用者の足の寸法がばらついても対応することができる。
さらにソール部の着用時外面となる底面には、滑り止めが形成されているので、靴下のまま屋内で歩行しても滑らず安心である。
【００１７】
花緒の起点側は、ちりめん織部材で形成されているので、より下駄風の花緒を醸しだせる。そして花緒の起点の位置は、靴下着用時の前方に位置しているので、より下駄風を醸し出した下駄風靴下とすることが可能である。
【００１８】
このように別物の花緒が形成されているので、通常着用時において、下駄風靴下として、袴等の和装を着用したときにフィット感を醸し出すことが可能である。また靴下であるので、外出するときに靴を履くときも、下駄風靴下を着用したままで履くことが可能である。
【図面の簡単な説明】
【００１９】
【図１】本考案に係る実施形態を示す靴下の概略斜視図である。
【図２】図１の花緒を示す斜視図である。
【図３】図１の花緒を靴下の履き口の後部に配置するときの説明図である。
【図４】子供が本考案の靴下を履いた状態で立った状態の説明図である。
【図５】花緒の起点をずらし、花緒を単一材質で構成した例を示す概略斜視図である。
【図６】花緒の起点を図５と異なる位置にずらし、花緒を単一材質で構成した例を示す概略斜視図である。
【図７】花緒の起点を側面部の側部の位置にし、花緒を異なる部材の組み合わせで構成した例を示す概略斜視図である。
【図８】本考案の他の例を示す説明図である。
【図９】ソールの底面の説明図である。
【考案を実施するための形態】
【００２０】
以下、本考案に係る、靴下に関する実施形態について、図面を参照しながら説明する。
図はいずれも本考案を示し、図１は靴下の概略斜視図、図２は図１の花緒を示す斜視図、図３は図１の花緒を靴下の履き口の後部に配置するときの説明図、図４は子供が靴下を履いた状態で立った状態の説明図、図５は花緒の起点をずらし、花緒を単一材質で構成した例を示す概略斜視図、図６は花緒の起点を図５と異なる位置にずらし、花緒を単一材質で構成した例を示す概略斜視図、図７は花緒の起点を側面部の側部の位置にし、花緒を異なる部材の組み合わせで構成した例を示す概略斜視図、図８は折り畳んだ状態の例を示す説明図、図９はソールの底面の説明図である。
【００２１】
本実施形態の靴下１０は、気品ある日本製の和柄ちりめんの下駄風ソックスであり、お食い初めやお宮参り、初節句などの乳幼児の成長のお祝い事や、結婚式、お正月など、特別な日やフォーマルシーンに合わせ、可愛らしい姿に華を添える和柄の袴にぴったりな男の子・女の子用の下駄風靴下（ソックス）であり、靴下１０は左右一対から構成されたるが、それぞれ靴下本体部５０と花緒６０とを主要構成要素としている。そして袴とお揃いのように構成でき、優しい履き心地で可愛い演出をすることが可能である。また、図８のように、折り畳んだ状態で、提供することもできる。折り畳んだ状態によれば、郵送、宅配、持ち運びに嵩にならないようにすることができる。
【００２２】
靴下１０の靴下本体部５０は、綿、アクリル、ナイロン、ポリウレタンなどの材質で織物或いは編物(本実施形態ではメリヤス編み)で構成され、図１で示すように、靴下１０の上部に位置する履き口２０と、底面を形成するソール部３０と、履き口２０とソール部３０を接続する側面部４０と、を有している。この側面部４０は足の大半を覆うものであり、足袋をイメージした淡い着色としている（本実施形態では白色であるが、薄い着色、例えば薄いピンク、薄いブルー、グリーンなどでもよい）。
【００２３】
靴下１０の底部を構成するソール部３０の側部側外周には、ソール部３０に沿って外周模様形成部４１が形成されている。外周模様形成部４１のうち、つま先側は幅広く配色し、起点Ｘに向けて後述するV字形の花緒を配置するように模様が形成されている。本実施形態の外周模様形成部４１はジャガード編みで形成され、側面部４０と異なるように形成されている。これにより以下に説明する配色と相まって、より下駄風の趣を醸し出している。
本例の配色は、濃い着色（濃い紺色、濃い紅色）の下駄風模様形成部４１ａと、その外周に花緒６０を引き立たせ、可愛らしくみせるための淡い着色（薄い黄土色）の加飾部４１ｂが形成されている。
【００２４】
履き口２０は、ゴム編み、本体メリヤス編み部材などで構成され（本実施形態ではゴム編み）、履いた時に足首がフィットするように形成されている。このように履き口２０には、ム編み、本体メリヤス編み部材などの優しいゴム的なものを使用しており、痛くなく優しくフィットし、ちくちくゴワゴワしない滑らかな履き心地を確保している。
また、カカト部分にソフトゴムなどを使用することにより、着用したときにズレが生じないように構成することもできる。
このように本実施形態では、綿、アクリル、ナイロン、ポリウレタンなどの材質で構成され、編み方は本体がメリヤス編み、履き口はゴム編みなどで構成されている。
【００２５】
本実施形態の花緒６０は、靴下本体部５０と別物の部材からなるもので、つま先側をＶ字状にして履き口２０の後方に至るループ状の形状になっている。このとき、つま先側、すなわち、起点側の部材６１の材質と、履き口２０の後方側の伸縮可能部材６２の材質とは異なる材質で形成されている。本例では起点側の部材６１は、材質はポリエステル、シルク、混紡材料など公知の材質を用いたちりめん織の幅広の帯状のもので起点Ｘ（図示では●で示すが、これは説明用であって実際は外観上に現れない。また点で表したが線状のポイントでもよい。以下同じ）に向けてＶ字状に形成され、くるぶし辺りで伸縮可能部材６２が連結されたものを用いている。起点側の部材６１のちりめん織の幅広の帯状形状となった部分には、花模様や一般に使用される花緒の模様などをあしらった図柄を用いている。
【００２６】
伸縮可能部材６２はナイロン、ポリウレタン、レーヨン、シルク、天然ゴム等の材質で構成されている。しかし、これらの材質だけでなく、ゴム編み等で伸縮可能に構成してもよく、要は、この部分を伸縮可能に構成することでカカト部分が脱げないように規制できるものであればよい。
【００２７】
花緒６０の起点側の部材６１と伸縮可能部材６２は、編み方などを変えて、一つの部材で連続して形成してもよいが、二つの部材６１，６２を直接縫合などで接合してもよい。二つの部材６１，６２を縫合などで接合する場合、二つの部材６１，６１を重ね、重ね部を縫い合わせ、或いは起点側の部材６１を袋状にして、その中に伸縮可能部材６２を配置して縫合その他の手段により接合してもよい。
【００２８】
靴下本体部５０上で、ソール部３０から側面部４０に至る所望箇所（本例ではつま先側のほぼ中央部）に、前記した起点Ｘが形成されている。そして別物の花緒６０を取り付けるために、花緒６０のＶ字状の部分が起点Ｘに配置できるようになっている。この起点Ｘは花緒６０がV字形の合わさり部となった端部を形成しており、前記花緒６０は前記起点Ｘから前記履き口２０の後方に至るループ状に形成されている。そして、少なくともカカト側は伸縮可できるように、好ましくはゴム編みになっているので、靴下１０を着用したときに、足のかかと部分を保持して、靴下１０が脱げないようになっているだけでなく、着用者の足の寸法が異なっても脱げずに対応できるようになっている。
【００２９】
またソール部３０の着用時外面となる底面には、図９で示すように、滑り止め７０が形成されている。この滑り止め７０は、販売する企業名やキャッチフレーズ、乳幼児の名字や名前などを付すことによって、下駄風靴下１０の宣伝や愛着を増加させる期待がもてる。なお滑り止め７０は、ラバープリントと称されるPVCまたはシリコンのゴムを下駄風靴下の足底にプリントすることなどのより作成する。
このように、着用時外面となる底面には、滑り止め７０が形成されているので、屋内で履いたまま歩行する時に、滑りを抑えることができる。
【００３０】
靴下１０を履くときには、図３で示すように、予め花緒６０の後方のループ部分である伸縮可能部材６２を履き口２０の後ろ側に配置して、履き口２０に引っかけ、図１のような状態で着用する。少なくともカカト側は伸縮可能部材６２、好ましくはゴム編みになっているので、靴下１０を着用したときに、足のかかと部分側を保持して、靴下１０が脱げないようになっているだけでなく、着用者の足の寸法のバラつきに対応できる。
【００３１】
花緒６０の起点Ｘの位置は、靴下１０の着用時の前方の中央に位置していることが好ましいが、図５は花緒６０の起点Ｘを若干内側（靴下１０を着用したときに他の足側）にずらし、花緒６０を単一材質で構成した例を示す概略斜視図である。本実施形態では前記実施形態と同様部材、配置等には同一符号を付してその説明を省略する（以下の図は同様。）。このように構成することで、デザインの幅を広げることができる。
【００３２】
図６は花緒６０の起点Ｘを図５と異なる位置、つまり花緒６０の起点Ｘを若干外側（靴下１０を着用したときに他の足と反対側）にずらし、花緒を単一材質で構成した例を示す概略斜視図である。
図７は花緒６０の起点を側面部４０の側部の外周模様形成部４１の位置にし、花緒６０を異なる部材の組み合わせで構成した例を示す概略斜視図である。この例では、下駄風とは異なるがこのようなバリエーションも本考案の範囲内であることを示すものである。
【００３３】
このように本考案の靴下１０は、和装はもちろん普段使いであってもよい。また出産祝いのギフトなどにも利用可能である。花緒６０は靴下１０の前部側で起点ＸがV字部分で固定されているので、乳幼児が動いてもズレなく、ループ状をした履き口２０の後方側の伸縮可能部材６２によって規制されてより脱落しないようになっており、かかとにソフトゴムを使用しているので着脱が用意で、履き口２０も柔らかである。
また底面には、滑り止め７０が形成されているので、靴下１０を着用したまま歩行しても滑らず安心なものとなっている。なお滑り止め７０にメーカーや販売者のセールスロゴを付すと、宣伝効果等を役立つように構成することができる。
【符号の説明】
【００３４】
１０          靴下
２０          履き口
３０          ソール部
４０          側面部
４１          外周模様形成部
４１ａ        下駄風模様形成部
４１ｂ        加飾部
５０          靴下本体部
６０          花緒
６１          起点側の部材
６２          伸縮可能部材
７０          滑り止め
Ｘ            起点
【図１】
0003222244.tif 000003
【図２】
0003222244.tif 000004
【図３】
0003222244.tif 000005
【図４】
0003222244.tif 000006
【図５】
0003222244.tif 000007
【図６】
0003222244.tif 000008
【図７】
0003222244.tif 000009
【図８】
0003222244.tif 000010
【図９】
0003222244.tif 000011